(57)【要約】【課題】上部を切断して小容量にできる収納用容器、その収納用容器を嵌挿できる混練運搬用容器、およびこれら容器の組み合わせの提供。【解決手段】薄層材料製の周壁１５と、嵌合凸部１６ｃを下面に形成した底壁１６ａと、上側鍔部１７と、鍔本体１８ａに案内片１８ｂを突出形成した下側鍔部１８を備えた収納用容器Ａ。嵌合凹部２１ｂを上面に形成した底壁２１と、下半部２３ａの内径を上半部２３ｂの内径よりも小さくし、その上半部２３ｂの内周面の一側に案内縦溝２３ｃを形成した円筒状の周壁２３とを備え、その周壁２３が、上記周壁１５より大径で上記下側鍔部１８の上記鍔本体１８ａの外径より小径の内空下部２２ａと、下側鍔部１８の上記鍔本体１８ａの外径より大径で上記上側鍔部１７の外径より小径の内空上部２２ｂを囲繞形成した混練運搬用容器Ｂ。またこれら容器の組み合わせ。【選択図】  図１２
2005096820.tif 000002
【特許請求の範囲】
【請求項１】
有底筒状の収納用容器と、これを嵌挿する同じく有底筒状の混練運搬用容器の組み合わせにおいて、
収納用容器が、柔軟な薄層材料製で筒状の周壁と、嵌合凸部を下面に突出形成した底壁と、上記周壁の上端開口縁の環状の上側鍔部と、上記周壁の外側であってその上側鍔部より下方の所要位置の、上記上側鍔部より外径の小さい環状の鍔本体の外周縁の一側に案内片を突出形成した下側鍔部とを備えてなること、および、
混練運搬用容器が、上記嵌合凸部と同形同大の嵌合凹部を上面に形成した底壁と、下半部の内径を上半部の内径よりも小さくして内周に段差を形成するとともに、その上半部の内周面の一側に、上記収納用容器の下側鍔部の上記案内片を受入案内する案内縦溝を形成した円筒状の周壁とを備え、その周壁が、上記収納用容器の周壁の外径よりも大径で、かつ上記収納用容器の下側鍔部の鍔本体の外径よりも小径の内空下部と、下側鍔部の上記鍔本体の外径よりも大径で、かつ上記収納用容器の上側鍔部の外径よりも小径の内空上部を囲繞形成してなることを特徴とする収納用容器と混練運搬用容器の組み合わせ。
【請求項２】
上記収納容器が所要の合成樹脂材料から一体成形することにより製作されていることを特徴とする請求項１記載の収納用容器と混練運搬用容器の組み合わせ。
【請求項３】
有底筒状の収納用容器と、これを嵌挿する同じく有底筒状の混練運搬用容器の組み合わせにおいて、
収納用容器が、柔軟な薄層材料製で筒状の周壁と、その周壁の下端開口縁の内側に固着された、嵌合凸部を下面に突出形成した硬質合成樹脂製の底体部と、上記周壁の上端開口縁の外側に固着された、環状で硬質合成樹脂製の上側鍔部と、上記周壁の外側であってその上側鍔部より下方の所要位置に固着された、該上側鍔部より外径の小さい環状の鍔本体の外周縁の一側に案内片を突出形成した硬質合成樹脂製の下側鍔部とを備えてなること、および、
混練運搬用容器が、上記嵌合凸部と同形同大の嵌合凹部を上面に形成した底壁と、下半部の内径を上半部の内径よりも小さくして内周に段差を形成するとともに、その上半部の内周面の一側に、上記収納用容器の下側鍔部の上記案内片を受入案内する案内縦溝を形成した円筒状の周壁とを備え、その周壁が、上記収納用容器の周壁の外径よりも大径で、かつ上記収納用容器の下側鍔部の鍔本体の外径よりも小径の内空下部と、下側鍔部の上記鍔本体の外径よりも大径で、かつ上記収納用容器の上側鍔部の外径よりも小径の内空上部を囲繞形成してなることを特徴とする収納用容器と混練運搬用容器の組み合わせ。
【請求項４】
柔軟な薄層材料製で、混練運搬用容器の内空下部よりも小径の筒状の周壁と、  上記混練運搬用容器の嵌合凹部と同形同大の嵌合凸部を下面に突出形成した底壁と、上記周壁の上端開口縁の、外径を上記混練運搬用容器の内空上部の径よりも大径にした環状の上側鍔部と、上記周壁の外側であってその上側鍔部より下方の所要位置の、外径を、上記上側鍔部の外径および上記混練運搬用容器の内空上部の径よりも小径で、かつ該混練運搬用容器の内空下部の径よりも大径にした環状の鍔本体の外周縁の一側に、案内片を突出形成した下側鍔部とを備えてなることを特徴とする収納用容器。
【請求項５】
所要の合成樹脂材料から一体成形することにより製作されていることを特徴とする請求項４記載の収納用容器。
【請求項６】
柔軟な薄層材料製で、混練運搬用容器の内空下部よりも小径の筒状の周壁と、その周壁の下端開口縁の内側に固着された、上記混練運搬用容器の嵌合凹部と同形同大の嵌合凸部を下面に突出形成した硬質合成樹脂製の底体部と、上記周壁の上端開口縁の外側に固着された、外径を上記混練運搬用容器の内空上部の径よりも大径にした環状で硬質合成樹脂製の上側鍔部と、上記周壁の外側であってその上側鍔部より下方の所要位置に固着された、外径を、上記上側鍔部の外径および上記混練運搬用容器の内空上部の径よりも小径で、かつ該混練運搬用容器の内空下部の径よりも大径にした環状の鍔本体の外周縁の一側に案内片を突出形成した硬質合成樹脂製の下側鍔部とを備えてなることを特徴とする収納用容器。
【請求項７】
収納用容器の嵌合凸部と同形同大の嵌合凹部を上面に形成した底壁と、下半部の内径を上半部の内径よりも小さくして内周に段差を形成するとともに、その上半部の内周面の一側に、上記収納用容器の下側鍔部の案内片を受入案内する案内縦溝を形成した円筒状の周壁とを備え、その周壁が、上記収納用容器の周壁の外径よりも大径で、かつ該収納用容器の下側鍔部の鍔本体の外径よりも小径の内空下部と、上記下側鍔部の上記鍔本体の外径よりも大径で、かつ該収納用容器の上側鍔部の外径よりも小径の内空上部を囲繞形成してなることを特徴とする混練運搬用容器。
【発明の詳細な説明】
【技術分野】
【０００１】
本発明は、建築用シーリング材，塗料，接着剤等をはじめとする液体状，粘性体状，粉体状または粒体状の各種流体材料を収納する収納用容器と、その収納用容器を嵌挿して使用する混練運搬用容器およびこれら容器の組み合わせに関する。
【背景技術】
【０００２】
各種の流体材料を収納して出荷，輸送するための包装容器の一種である収納用容器、および、上記流体材料自体または該流体材料と他の材料とを、施工現場において混練して運搬するために、上記収納用容器を嵌挿できるようにした混練運搬用容器として、たとえば本発明者が提案した図１４，１５のものが公知となっている（特許文献１）。
【特許文献１】特許第３２８９１９２号公報
【０００３】
１は薄層材料製の収納用容器で、それは底壁２の下面に嵌合凸部３を形成するとともに、上端開口縁の外側全周に形成した鍔部４に、位置決め用孔５…を形成した突片６，６を突出形成している。
７は、上記収納用容器１を嵌挿できるようにした混練運搬用容器で、その底壁８の上面には上記嵌合凸部３と同形の嵌合凹部９が形成されている。また、上端開口縁には、上記位置決め用孔５…を嵌合できるようにした位置決め用ピン１０…を立設した突片１１，１１を突出形成している。
１２は上記混練運搬用容器７を乗載固定する揺動台１３と、その混練運搬用容器７内に挿嵌固定した収納用容器１に収納されている流体材料を混練するパドル１４を備えた混練機である。
【０００４】
上記各容器１，７を用いた流体材料の混練作業は以下のように行われる。
まず上記混練運搬用容器７内に、流体材料を収納した上記収納用容器１を嵌挿する。
その嵌挿は、上記混練運搬用容器７の位置決め用ピン１０…に収納用容器１の位置決め用孔５…を嵌合させるようにして、両容器１，７の位置を合わせながら行う。
位置決め用ピン１０…と位置決め用孔５…とを嵌合させることにより、収納用容器１の嵌合凸部３と混練運搬用容器７の嵌合凹部９も嵌合し、収納用容器１は混練運搬用容器７内で相対回転しないように固定される。
この状態で、上記混練運搬用容器７を揺動台１３上に乗載固定して該揺動台１３を揺動させると、収納用容器１内に挿入したパドル１４によって流体材料が混練される。
【発明の開示】
【発明が解決しようとする課題】
【０００５】
しかし、上記収納用容器１としては、各種の容量、たとえば小容量の４〜５リットル用とか大容量の１５〜１８リットル用のものを各別に用意しておく必要があり、したがってまた、その各種の収納用容器１に対応する各種の混練運搬用容器７を用意せざるを得ず、このことがコストを引き上げる原因となってしまっていた。
【０００６】
そこで本発明は、上部を切断して小容量にできるようにした収納用容器の提供、および、その収納用容器を通常の状態でも切断した状態でも嵌挿できるようにした混練運搬用容器の提供を目的とする。また、これら容器の組み合わせを提供する。
【課題を解決するための手段】
【０００７】
請求項１記載の本発明収納用容器と混練運搬用容器の組み合わせは、有底筒状の収納用容器と、これを嵌挿する同じく有底筒状の混練運搬用容器の組み合わせにおいて、収納用容器Ａが、(1-a)柔軟な薄層材料製で筒状の周壁１５と、(1-b)嵌合凸部１６ｃを下面に突出形成した底壁１６ａと、(1-c)上記周壁１５の上端開口縁の環状の上側鍔部１７と、(1-d)上記周壁１５の外側であってその上側鍔部１７より下方の所要位置の、上記上側鍔部１７より外径の小さい環状の鍔本体１８ａの外周縁の一側に案内片１８ｂを突出形成した下側鍔部１８とを備えてなり、また、混練運搬用容器Ｂが、(2-a)上記嵌合凸部１６ｃと同形同大の嵌合凹部２１ｂを上面に形成した底壁２１と、(2-b)下半部２３ａの内径を上半部２３ｂの内径よりも小さくして内周に段差を形成するとともに、その上半部２３ｂの内周面の一側に、上記収納用容器Ａの下側鍔部１８の上記案内片１８ｂを受入案内する案内縦溝２３ｃを形成した円筒状の周壁２３とを備え、(2-c)その周壁２３が、上記収納用容器Ａの周壁１５の外径よりも大径で、かつ上記収納用容器Ａの下側鍔部１８の上記鍔本体１８ａの外径よりも小径の内空下部２２ａと、下側鍔部１８の上記鍔本体１８ａの外径よりも大径で、かつ上記上記収納用容器Ａの上側鍔部１７の外径よりも小径の内空上部２２ｂを囲繞形成してなる。
【０００８】
請求項２記載の本発明は、上記収納容器Ａが所要の合成樹脂材料から一体成形することにより製作された請求項１記載の収納用容器と混練運搬用容器の組み合わせである。
【０００９】
請求項３記載の本発明収納用容器と混練運搬用容器の組み合わせは、有底筒状の収納用容器と、これを嵌挿する同じく有底筒状の混練運搬用容器の組み合わせにおいて、収納用容器Ａが、(1-a)柔軟な薄層材料製で筒状の周壁１５と、(1-b)その周壁１５の下端開口縁の内側に固着された、嵌合凸部１６ｃを下面に突出形成した硬質合成樹脂製の底体部１６と、(1-c)上記周壁１５の上端開口縁の外側に固着された、環状で硬質合成樹脂製の上側鍔部１７と、(1-d)上記周壁１５の外側であってその上側鍔部１７より下方の所要位置に固着された、該上側鍔部１７より外径の小さい環状の鍔本体１８ａの外周縁の一側に案内片１８ｂを突出形成した硬質合成樹脂製の下側鍔部１８とを備えてなり、また、混練運搬用容器Ｂが、(2-a)上記嵌合凸部１６ｃと同形同大の嵌合凹部２１ｂを上面に形成した底壁２１と、(2-b)下半部２３ａの内径を上半部２３ｂの内径よりも小さくして内周に段差を形成するとともに、その上半部２３ｂの内周面の一側に、上記収納用容器Ａの下側鍔部１８の上記案内片１８ｂを受入案内する案内縦溝２３ｃを形成した円筒状の周壁２３とを備え、(2-c)その周壁２３が、上記収納用容器Ａの周壁１５の外径よりも大径で、かつ上記収納用容器Ａの下側鍔部１８の上記鍔本体１８ａの外径よりも小径の内空下部２２ａと、下側鍔部１８の上記鍔本体１８ａの外径よりも大径で、かつ上記上記収納用容器Ａの上側鍔部１７の外径よりも小径の内空上部２２ｂを囲繞形成してなる。
【００１０】
請求項４記載の本発明収納用容器は、(1)柔軟な薄層材料製で、混練運搬用容器Ｂの内空下部２２ａよりも小径の筒状の周壁１５と、(2)上記混練運搬用容器Ｂの嵌合凹部２１ｂと同形同大の嵌合凸部１６ｃを下面に突出形成した底壁１６ａと、(3)上記周壁１５の上端開口縁の、外径を上記混練運搬用容器Ｂの内空上部２２ｂの径よりも大径にした環状の上側鍔部１７と、(4)上記周壁１５の外側であってその上側鍔部１７より下方の所要位置の、外径を、上記上側鍔部１７の外径および上記混練運搬用容器Ｂの内空上部２２ｂの径よりも小径で、かつ該混練運搬用容器Ｂの内空下部２２ａの径よりも大径にした環状の鍔本体１８ａの外周縁の一側に、案内片１８ｂを突出形成した下側鍔部１８とを備えてなる。
【００１１】
請求項５記載の本発明は、所要の合成樹脂材料から一体成形することにより製作された請求項４記載の収納用容器である。
【００１２】
請求項６記載の本発明収納用容器は、(1)柔軟な薄層材料製で、混練運搬用容器Ｂの内空下部２２ａよりも小径の筒状の周壁１５と、(2)その周壁１５の下端開口縁の内側に固着された、上記混練運搬用容器Ｂの嵌合凹部２１ｂと同形同大の嵌合凸部１６ｃを下面に突出形成した硬質合成樹脂製の底体部１６と、(3)上記周壁１５の上端開口縁の外側に固着された、外径を上記混練運搬用容器Ｂの内空上部２２ｂの径よりも大径にした環状で硬質合成樹脂製の上側鍔部１７と、(4)上記周壁１５の外側であってその上側鍔部１７より下方の所要位置に固着された、外径を、上記上側鍔部１７の外径および上記混練運搬用容器Ｂの内空上部２２ｂの径よりも小径で、かつ該混練運搬用容器Ｂの内空下部２２ａの径よりも大径にした環状の鍔本体１８ａの外周縁の一側に案内片１８ｂを突出形成した硬質合成樹脂製の下側鍔部１８とを備えてなる。
【００１３】
請求項７記載の混練運搬用容器は、(1)収納用容器Ａの嵌合凸部１６ｃと同形同大の嵌合凹部２１ｂを上面に形成した底壁２１と、(2)下半部２３ａの内径を上半部２３ｂの内径よりも小さくして内周に段差を形成するとともに、その上半部２３ｂの内周面の一側に、上記収納用容器Ａの下側鍔部１８の案内片１８ｂを受入案内する案内縦溝２３ｃを形成した円筒状の周壁２３とを備え、(3)その周壁２３が、上記収納用容器Ａの周壁１５の外径よりも大径で、かつ該収納用容器Ａの下側鍔部１８の鍔本体１８ａの外径よりも小径の内空下部２２ａと、上記下側鍔部１８の上記鍔本体１８ａの外径よりも大径で、かつ該収納用容器の上側鍔部１７の外径よりも小径の内空上部２２ｂを囲繞形成してなる。
【発明の効果】
【００１４】
本発明収納用容器は、通常の状態で用いることができるだけでなく、周壁を下側鍔部の上縁に沿って切断し、その切断箇所より上側を上側鍔部ごと取り外せば、小容量にして用いることができる。
また、その収納用容器は、その下側鍔部の案内片を、混練運搬用容器の案内縦溝に案内させながら該混練運搬用容器に上方から嵌挿することにより、混練運搬用容器に簡単かつ確実に挿嵌固定できる。
【発明を実施するための最良の形態】
【００１５】
以下には、本発明を実施例により説明するが、本発明はこれに限定されるものではない。
【実施例】
【００１６】
Ａは有底円筒状の流体材料の収納用容器で、それは、柔軟な薄層材料製で円筒状の周壁１５と、その周壁１５の下端開口縁の内側に固着された硬質合成樹脂製で平面円形の底体部１６と、上記周壁１５の上端開口縁の外側に固着された、同じく硬質合成樹脂製で環状の上側鍔部１７と、上記周壁１５の外側であって上記上側鍔部１７より下方に固着された同じく硬質合成樹脂製で環状の下側鍔部１８と、上記周壁１５の外側であって上記下側鍔部１８のさらに下方に固着された硬質合成樹脂製の補強用環状体１９とからなる。
【００１７】
上記周壁１５の薄層材料は、複数の合成樹脂層，金属層等を重合した多層構造で防水処理を施した柔軟なものであるが、多層構造のものに代え一層のみからなるものとしてもよい。
【００１８】
上記底体部１６は、平面円形の底壁１６ａの外周縁に所要高さの環状の外周縁壁１６ｂを沿設したものである。その外周縁壁１６ｂの下半部は、上記底壁１６ａの下面側に垂下している。
また、上記底体部１６の下面には、４個の平面円形の嵌合凸部１６ｃ…を所要の配置にして突出形成している。なお、この嵌合凸部１６ｃ…の形状および個数は適宜変更してもよい。
【００１９】
この底体部１６は、上記外周縁壁１６ｂの外周面を上記周壁１５の下端開口縁の内側に固着しており、これによって、上記底壁１６ａが上記周壁１５の下端開口を閉鎖した状態になっている。
【００２０】
上記上側鍔部１７は、一定幅の環状の鍔本体１７ａの外周縁の互いに対向する位置に、突出片１７ｂ，１７ｂを突出形成するとともに、その鍔本体１７ａの内周縁に、固着環部１７ｃを垂下させてなるものである。
１７ｄ，１７ｄは、その鍔本体１７ａの下面側でかつ固着環部１７ｃの外周面側の所要位置に突出形成された２つの嵌合片（一方のみ図示する。）である。
【００２１】
この上側鍔部１７は、上記固着環部１７ｃによって、上記周壁１５の上端開口縁の外側に固着されている。
【００２２】
上記下側鍔部１８は、上記上側鍔部１７の鍔本体１７ａよりも外径を小さくした一定幅で環状の鍔本体１８ａと、その外周縁の一側に突出形成した案内片１８ｂと、上記鍔本体１８ａの内周縁の固着環部１８ｃとからなるものである。
上記固着環部１８ｃは、鍔本体１８ａの上面側に起立し、外周面にネジ溝１８ｄを刻設した上半部と、上記鍔本体１８ａの下面側に垂下した下半部とからなる。
１８ｅ，１８ｅは、その鍔本体１８ａの下面側でかつ固着環部１８ｃの下半部の外周面側の所要位置に突出形成された２つの嵌合片（一方のみ図示する。）である。
【００２３】
この下側鍔部１８は、上記周壁１５の上端からほぼ１／３の位置の外側であって、上記上側鍔部１７と上記補強用環状体１９との間の位置に、上記固着環部１８ｃによって固着されている。
【００２４】
上記補強用環状体１９は、上記の通り硬質合成樹脂製のもので、上記周壁１５の外側の下端からほぼ１／３の位置に固着されている。
【００２５】
上記収納用容器Ａは、上記の周壁１５，底体部１６，上側鍔部１７，下側鍔部１８および補強用環状体１９をそれぞれ用意しておき、それらを互いに溶着，接着等適宜の方法で固着することにより製作することができるが、その全体を、所要の合成樹脂材料から一体成形することによって製作してもよい。
【００２６】
この収納用容器Ａは、通常、上記のままの、流体材料を上側鍔部１７付近まで充填できる状態（以下、「通常状態」という（図１，２，４，１２等）。）で用いられ、その容量はたとえば１５リットル程度であるが、上部を切断してたとえば１０リットル程度の小容量にして用いることもできるものである。
【００２７】
通常状態の収納用容器Ａは、流体材料を充填したのち上端開口を塞ぐ軟質合成樹脂等製の蓋材（図示しない。）を上記上側鍔部１７の鍔本体１７ａの上面に、引き剥がし自在に固着することによって密封される。
そして、その収容された流体材料を使用する際には上記蓋材を引き剥がして上端開口を開放する。
なお、開閉自在なコック（図示しない。）を取り付けた蓋材を用いるなどすれば、蓋材を引き剥がすことなく流体材料を必要量だけ取り出して使用することができるから、一旦開封した収納容器Ａ内の流体材料の劣化を防ぎ、一定期間保存するのに便利である。
【００２８】
一方、上記収納用容器Ａを小容量にして用いる場合には、上記周壁１５の上部を上記下側鍔部１８の上縁に沿って切断して、上記上側鍔部１７ごと取り外し、下側鍔部１８を上端開口縁とした状態（図６，７，１３）とする。
この小容量にした収納用容器Ａは、下側鍔部１８の上端開口を蓋材２０によって塞ぐことによって密封される。
【００２９】
その蓋材２０は、側壁２０ａの内周面に、上記固着環部１８ｃのネジ溝１８ｄに対応するネジ溝２０ｂを刻設した硬質合成樹脂製のもので、固着環部１８ｃの上半部に螺合することによって、下側鍔部１８の上端開口を塞ぐことができる。
なお、この下側鍔部１８の上端開口は軟質合成樹脂等製の蓋材を溶着して塞ぐなど、他の適宜の方法により塞ぐようにしてもよい。
【００３０】
収納されている流体材料を全て使い切った後には、収納用容器Ａは、上記周壁１５を圧潰し、下側鍔部１８，補強用環状体１９，底体部１６等を重合させて嵩を減らした状態（図５）にして廃棄することができる。
【００３１】
なお、収納用容器Ａの通常状態の容量は、周壁１５の径や高さを適宜決定することにより、また、上部を切断した状態の容量は、上端開口縁となる下側鍔部１８の、周壁１５への固着位置を適宜決定することにより設定することができる。
【００３２】
Ｂは、円形状の底壁２１と、その周縁に起立した、内空下部２２ａと内空上部２２ｂからなる内空部２２を囲繞形成する円筒状の周壁２３と、その周壁２３の外周面に取り付けた取っ手２４とからなる有底円筒状の混練運搬用容器で、それは、上記収納用容器Ａを上記内空部２２に嵌挿して、これに収納された流体材料自体を混練，運搬するため、あるいは該流体材料に他の材料を加えて混練，運搬するためのものである。
【００３３】
上記底壁２１の上面には、上記周壁２３の内周面に沿って、上記収納用容器Ａの底体部１６下面の外周縁壁１６ｂの下半部を受入する環状溝２１ａを形成するとともに、同じく底体部１６下面の嵌合凸部１６ｃ…を受入する、該嵌合凸部１６ｃ…と同形同大の嵌合凹部２１ｂ…を、所要の配置にして形成している。
【００３４】
上記周壁２３は、上記内空下部２２ａを囲繞形成する下半部２３ａの内径を、上記内空上部２２ｂを囲繞形成する上半部２３ｂの内径よりも小さくして内周に段差を形成した円筒状のものである。
【００３５】
上記内空下部２２ａの径は、上記収納用容器Ａの周壁１５の外径よりもやや大径で、かつ下側鍔部１８の鍔本体１８ａの外径よりも小径になっている。また、上記内空上部２２ｂの径は、下側鍔部１８の上記該鍔本体１８ａの外径よりも大径で、かつ上記上側鍔部１７の鍔本体１７ａの外径よりも小径になっている。
【００３６】
そして、上記周壁２３の上半部２３ｂの内周面の一側には、下側鍔部１８の上記案内片１８ｂを受入案内するための案内縦溝２３ｃが、該上半部２３ｂの内面および上端面２３ｄに開口した状態にして形成されている。
【００３７】
さらに周壁２３の上半部２３ｂの上端開口縁の所要位置には、上記収納用容器Ａの上側鍔部１７の嵌合片１７ｄ，１７ｄを受入する嵌合片受入溝２３ｅ，２３ｅを形成している。
【００３８】
２３ｆは、周壁２３内周の段差部分に現れている、周壁２３の下半部２３ａの上端面で、それは上記収納用容器Ａの下側鍔部１８の鍔本体１８ａと略同形同大の環状をなしており、その所要位置には、該収納用容器Ａの下側鍔部１８の嵌合片１８ｅ，１８ｅを受入する嵌合片受入溝２３ｇ，２３ｇを形成している。
【００３９】
上記取っ手２４は、上記上半部２３ｂの一直径線上の位置に、両端を回動自在にして固着しているものである。
【００４０】
以下、上記収納用容器Ａを上記混練運搬用容器Ｂに嵌挿して、その収納用容器Ａ内の流体材料を混練し運搬する方法について説明する。  
【００４１】
まず、通常状態の上記収納用容器Ａに収納された流体材料を混練，運搬する場合について述べる。
最初に、収納用容器Ａを上方から混練運搬用容器Ｂの内空部２２に嵌挿する。その嵌挿は、上記収納容器Ａの下側鍔部１８の案内片１８ｂを混練運搬用容器Ｂの周壁２３の上半部２３ｂの案内縦溝２３ｃに案内させて、収納用容器Ａと混練運搬用容器Ｂとの位置合わせを行いながら行う。
【００４２】
これによって、収納用容器Ａと混練運搬用容器Ｂとは、上記下側鍔部１８の案内片１８ｂとこれに対応する案内縦溝２３ｃ、上側鍔部１７の嵌合片１７ｄ，１７ｄとこれに対応する嵌合片受入溝２３ｅ，２３ｅ、下側鍔部１８の嵌合片１８ｅ，１８ｅとこれに対応する嵌合片受入溝２３ｇ，２３ｇ、さらに底体部１６の嵌合凸部１６ｃ…とこれに対応する嵌合凹部２１ｂ…がそれぞれ嵌合して、互いに相対回転しない状態になるとともに、底体部１６の外周縁壁１６ｂを環状溝２１ａに受入させ、また、下側鍔部１８の鍔本体１８ａを周壁２３の下半部２３ａの上端面２３ｆに乗載し、上側鍔部１７を周壁２３の上記上半部２３ｂの上端面２３ｄに乗載した状態となる。
【００４３】
続いて、収納用容器Ａの蓋材を引き剥がして上端開口を開放し、必要な場合には該収納用容器Ａ内に収納されている流体材料と混練すべき他の材料を投入する。
【００４４】
この状態で、従来より用いられている上記混練機１２の揺動台１３に上記混練運搬用容器Ｂを、収納用容器Ａごと装着する。
そして、上記混練機１２の上記パドル１４を収納用容器Ａに挿入し、該混練機１２を駆動して上記揺動台１３を揺動させると、そこに乗載固定されている混練運搬用容器Ｂおよびこれに嵌挿されている収納用容器Ａが、パドル１４に対して相対的に揺動する。この相対的な揺動によって収納用容器Ａ内の流体材料が混練されることになる。
【００４５】
なお、上記の混練作業は、必ずしも揺動台上に混練運搬用容器Ｂを乗載固定して行うタイプの混練機によって行う必要はなく、たとえば、手持ちタイプの攪拌混練機等の攪拌混練パドルを、混練運搬用容器Ｂ内に嵌挿した収納用容器Ａ内に挿入して、これによって行うようにしてもよい。
【００４６】
混練終了後、混練運搬用容器Ｂの取っ手２４を把持して、該容器Ｂを収納用容器Ａを嵌挿したまま施工現場まで運搬し、収納されている流体材料を使用する。
【００４７】
収納用容器Ａは、流体材料を使い切った後、混練運搬用容器Ｂから抜脱して、周壁１５を圧潰しコンパクトな状態にして廃棄することができる。
混練運搬用容器Ｂは、その後、別の収納用容器Ａを嵌挿することにより、流体材料の混練に繰り返し供される。
【００４８】
次に、小容量にした上記収納用容器Ａに収納された流体材料を混練，運搬する場合について述べる。
【００４９】
まず、小容量にした上記収納用容器Ａの蓋材２０を取り外して上端開口を開放し、必要な場合には該収納用容器Ａ内に収納されている流体材料と混練すべき他の材料を投入しておく。
そして、上記収納用容器Ａの下側鍔部１８の案内片１８ｂを混練運搬用容器Ｂの周壁２３の上半部２３ｂの案内縦溝２３ｃに案内させて、収納用容器Ａと混練運搬用容器Ｂとの位置合わせを行いながら、収納用容器Ａを上方から混練運搬用容器Ｂの内空部２２に嵌挿する。
【００５０】
これによって、小容量にした上記収納用容器Ａと混練運搬用容器Ｂとは、上記下側鍔部１８の案内片１８ｂとこれに対応する案内縦溝２３ｃ、下側鍔部１８の嵌合片１８ｅ，１８ｅとこれに対応する嵌合片受入溝２３ｇ，２３ｇ、さらに底体部１６の嵌合凸部１６ｃ…とこれに対応する嵌合凹部２１ｂ…がそれぞれ嵌合して、互いに相対回転しない状態になるとともに、底体部１６の外周縁壁１６ｂを環状溝２１ａに受入させ、また、下側鍔部１８の鍔本体１８ａを周壁２３の上記下半部２３ａの上端面２３ｆに乗載した状態となる。
【００５１】
この状態で、上記通常状態の収納用容器Ａに収納された流体材料の混練の場合と同様に、混練機１２の揺動台１３に、上記混練運搬用容器Ｂを、小容量にした上記収納用容器Ａごと装着する。
そして、上記混練機１２の上記パドル１４を収納用容器Ａに挿入し、該混練機１２を駆動して上記揺動台１３を揺動させると、上記と同様に、収納用容器Ａ内の流体材料が混練されることになる。
【００５２】
その混練を、手持ちタイプの攪拌混練機によって行うようにしてもよいことも、上記通常状態の収納用容器Ａの場合と同様である。
【００５３】
混練終了後、混練運搬用容器Ｂの取っ手２４を把持して、該容器Ｂを、収納用容器Ａを嵌挿したまま施工現場まで運搬し、収納されている流体材料を使用する。
【００５４】
収納用容器Ａは、流体材料を使い切った後、混練運搬用容器Ｂから抜脱して、周壁１５を圧潰しコンパクトな状態にして廃棄することができる。
【図面の簡単な説明】
【００５５】
【図１】本発明収納用容器の斜視図である。
【図２】図１のI-I線縦断面図である。
【図３】上記収納用容器の平面図である。
【図４】上記収納用容器の一部拡大斜視図である。
【図５】上記収納用容器を圧潰した状態の斜視図である。
【図６】上部を切断した状態の収納用容器と蓋材の斜視図である。
【図７】図６のII-II線縦断面図である。
【図８】混練運搬用容器の斜視図である。
【図９】図８のIII-III線縦断面図である。
【図１０】上記混練運搬用容器の平面図である。
【図１１】上記混練運搬用容器に上記収納用容器を嵌挿した状態の斜視図である。
【図１２】図１１のIV-IV線縦断面図である。
【図１３】上記混練運搬用容器に上部を切断した状態の収納用容器を嵌挿した状態の斜視図である。
【図１４】従来の収納用容器および混練運搬用容器の斜視図である。
【図１５】従来の収納用容器および混練運搬用容器を、混練機に乗載固定して混練作業を行っている様子を示す斜視図である。
【符号の説明】
【００５６】
Ａ    収納用容器
Ｂ    混練運搬用容器
１５    周壁
１６    底体部
１６ａ  底壁
１６ｃ  嵌合凸部
１７    上側鍔部
１８    下側鍔部
１８ａ  鍔本体
１８ｂ  案内片
１８ｅ  嵌合片
２１    底壁
２１ｂ  嵌合凹部
２２    内空部
２２ａ  内空下部
２２ｂ  内空上部
２３    周壁
２３ａ  周壁の下半部  
２３ｂ  周壁の上半部
２３ｃ  案内縦溝
２３ｅ  嵌合片受入溝
２３ｆ  周壁の下半部の上端面
【図１】
2005096820.tif 000003
【図２】
2005096820.tif 000004
【図３】
2005096820.tif 000005
【図４】
2005096820.tif 000006
【図５】
2005096820.tif 000007
【図６】
2005096820.tif 000008
【図７】
2005096820.tif 000009
【図８】
2005096820.tif 000010
【図９】
2005096820.tif 000011
【図１０】
2005096820.tif 000012
【図１１】
2005096820.tif 000013
【図１２】
2005096820.tif 000014
【図１３】
2005096820.tif 000015
【図１４】
2005096820.tif 000016
【図１５】
2005096820.tif 000017